(57)【要約】　　　（修正有）【課題】多種類の工具を設置して使用することができると共に、容易にフックねじを締め付けることができ、機能性及び利便性を向上させることができるフックねじドライバーを提供する。【解決手段】第一端４１１及び第二端４１２を有する第一本体１０と、第一端及び第二端を有する第二本体２０と、フックねじドライバー１の固定部材１４を締め付け、又は緩める工具の一端を連結する工具連結部とを有し、第一本体の第一端と第二本体の第一端とが連結され、第一本体の第二端と第二本体の第二端と開け位置と閉め位置の間を移動させて前記工具連結部によりフックねじを挟み付ける構成とされる。【選択図】　　　　図２
2004050402.tif 000002
【特許請求の範囲】
【請求項１】
第一端及び第二端を有する第一本体と、第一端及び第二端を有する第二本体と、フックねじドライバーの固定部材を締め付け、又は緩める工具の一端を連結する工具連結部とを有し、
前記第一本体の第一端と前記第二本体の第一端とが連結され、前記第一本体の第二端と前記第二本体の第二端と開け位置と閉め位置の間を移動させて前記工具連結部によりフックねじを挟み付けることを特徴とするフックねじドライバー。
【請求項２】
前記工具連結部は、フックねじドライバー内の工具連結孔を有することを特徴とする請求項１記載のフックねじドライバー。
【請求項３】
前記工具連結孔の端壁には、磁石が設けられていることを特徴とする請求項２記載のフックねじドライバー。
【請求項４】
前記工具連結部は、前記フックねじドライバーの外部に設置され、かつ前記工具連結部の内部に前記工具連結孔が設けられていることを特徴とする請求項１記載のフックねじドライバー。
【請求項５】
前記工具連結部は、前記フックねじドライバーの外部に設置され、かつ前記工具連結部の外部に工具連結部材が設けられていることを特徴とする請求項１記載のフックねじドライバー。
【請求項６】
前記工具連結部材は、前記第一本体の第一端と前記第二本体の第一端の間に設けられ、前記フックねじドライバーの縦軸と平行方向に延伸する工具連結孔が設けられていることを特徴とする請求項１記載のフックねじドライバー。
【請求項７】
前記第一本体の第一端には、容置孔、ばね及び前記容置孔内に容置される連結部材が設けられ、
前記工具連結部材は、前記容置孔と前記工具連結孔を連通させる孔が設けられ、
前記連結部材は、前記ばねに押さえられて一部が前記工具連結部材の前記工具連結孔に突入し、解放可能に工具の連結溝を連結することを特徴とする請求項６記載のフックねじドライバー。
【請求項８】
前記工具連結部材は、前記第一本体の第一端に設けられ、かつそれぞれ第一ピン孔を有する両側壁が設けられ、
前記第二本体の第一端は、第二ピン孔に合わせた間隔に突起耳が設けられ、二本のピンはそれぞれ前記第二本体の第二ピン孔を通して前記工具連結部材の第一ピン孔に至り、
前記第一本体の第一端は、前記第二本体の第一端に枢接されることを特徴とする請求項７記載のフックねじドライバー。
【発明の詳細な説明】
【０００１】
【発明の属する技術分野】
本発明は、フックねじドライバーに係り、特に、多種類の工具を設置して使用することができると共に、容易にフックねじを締め付けることができるフックねじドライバーに関するものである。
【０００２】
【従来の技術】
従来技術として、例えば、特許文献１「フックねじドライバー（五）」は、突出部、蓋、底台、及び締付装置から構成されている。そのうち、蓋及び底台はともに突出部と連結した状態に形成されている。締付装置は、蓋及び底台の締め付けに供され、底台または蓋には固定部が設けられ、その固定部はフックねじを固定し、並びに締付装置を利用することによって蓋及び底台を締め付け固定している。この特許は出願者の早期の発明であり、使用者がそれを使用する場合はそのフックねじドライバーの外縁を持ち、フックねじドライバーを回すことによってフックねじを締め付ける目的が達成される。このような従来のフックねじドライバーによって起こる各種欠点があり、それらの欠点を解消すべく研究改善を行っている。
【０００３】
【特許文献１】
中国特許公告第３６４４４０番
【発明が解決しようとする課題】
ところが、このような設計は手動でフックねじを締め付ける機能のみを有し、フックねじドライバーを使用するには完全に人力手動で行う必要がある。手動で締め付けるには力に限度があるので、締め付ける部位の抵抗力が大きすぎるとフックねじの締め付けが難しくなり、操作上時間や力を費やすだけでなく、かつ極めて能率が低くなってしまう。また、一連の作業で別のねじを締め付ける必要がある場合、他のドライバーなどを携帯しなければならず、使用上甚だ不便で面倒であるという問題点があった。
【０００４】
そこで、本発明の課題は、多種類の工具を設置して使用することができると共に、容易にフックねじを締め付けることができ、機能性及び利便性を向上させることができるフックねじドライバーを提供することである。
【０００５】
【課題を解決するための手段】
本発明人は上記課題を解決するため、フックねじドライバーを製造、研究開発した長年の経験を生かし、より実用的な発明を開発することを希望し、多数回の開発改善を経た後、本発明「フックねじドライバー」を設計した。本願発明は上記問題点を克服することができ、極めて産業利用価値のある発明と言える。
【０００６】
上記課題を解決するため、本発明は、請求項１に記載されるように、第一端及び第二端を有する第一本体と、第一端及び第二端を有する第二本体と、フックねじドライバーの固定部材を締め付け、又は緩める工具の一端を連結する工具連結部とを有し、前記第一本体の第一端と前記第二本体の第一端とが連結され、前記第一本体の第二端と前記第二本体の第二端と開け位置と閉め位置の間を移動させて前記工具連結部によりフックねじを挟み付ける構成とされる。また、上記各構成において、図１〜１５に示すように第一本体１０、１０’、第二本体２０、２０’、フックねじ５０、５０’、工具（ドライバー）６０、６０’、６０ｃ、工具連結部３０、１７、２１’、２６’に対応する。
【０００７】
このようなフックねじドライバーでは、フックねじドライバーの第二端は選択可能にフックねじを挟み付け定位置することができ、そのフックねじドライバーの第一端は異なる形態のドライバーを取り外し可能な方式をもって連結することに供され、ドライバーがフックねじドライバーの第一端に連結された場合、フックねじドライバーのフックねじ締め付け作業はより省力、快速かつ高効率に容易に行うことができ、フックねじドライバーの連結部がフックねじドライバーの第一端に連結されると、そのフックねじドライバーを操作してねじを締め付けることができ、それは多機能を有する設計であり、かつ使用時の要求に応じて変化させることができる。従って、フックねじドライバーは機能性及び利便性を向上させることができる。
【０００８】
また、本発明は、請求項２に記載されるように、前記工具連結部は、フックねじドライバー内の工具連結孔を有する構成としてもよい。また、上記工具連結孔は、図８、９、１０に示す工具連結孔１７に対応する。
【０００９】
このようなフックねじドライバーでは、工具連結部の工具連結孔により、多種多様なドライバーを設置することができる。
【００１０】
また、本発明は、請求項３に記載されるように、前記工具連結孔の端壁には、磁石が設けられている構成としてもよい。また、上記磁石は、図８、９、１０に示す磁石１８に対応する。
【００１１】
このようなフックねじドライバーでは、磁石の吸着によってドライバーなどを工具連結孔内に設置することができる。
【００１２】
また、本発明は、請求項４に記載されるように、前記工具連結部は、前記フックねじドライバーの外部に設置され、かつ前記工具連結部の内部に前記工具連結孔が設けられている構成としてもよい。また、上記各構成において、図１１、１２に示す工具連結部２１’、工具連結孔２２’に対応する。
【００１３】
このようなフックねじドライバーでは、工具連結部の内部の工具連結孔に多種多様なドライバーを設置することができる。
【００１４】
また、本発明は、請求項５に記載されるように、前記工具連結部は、前記フックねじドライバーの外部に設置され、かつ前記工具連結部の外部に工具連結部材が設けられている構成としてもよい。また、上記各構成において、図１４、１５に示す工具連結部２６’、工具連結部材２７’に対応する。
【００１５】
このようなフックねじドライバーでは、工具連結部の外部の工具連結部材により各種異なる形態のドライバーを連結させることができる。
【００１６】
また、本発明は、請求項６に記載されるように、前記工具連結部材は、前記第一本体の第一端と前記第二本体の第一端の間に設けられ、前記フックねじドライバーの縦軸と平行方向に延伸する工具連結孔が設けられている構成としてもよい。また、上記各構成において、図１〜７に示す工具連結部材３０、工具連結孔３１に対応する。
【００１７】
このようなフックねじドライバーでは、工具連結部材が第一本体の第一端と第二本体の第一端の間に設けられ、フックねじドライバーの縦軸と平行方向に延伸する工具連結孔が設けられていることにより、各種異なる形態のドライバーと連結させることができる。
【００１８】
また、本発明は、請求項７に記載されるように、前記第一本体の第一端には、容置孔、ばね及び前記容置孔内に容置される連結部材が設けられ、前記工具連結部材は、前記容置孔と前記工具連結孔を連通させる孔が設けられ、前記連結部材は、前記ばねに押さえられて一部が前記工具連結部材の前記工具連結孔に突入し、解放可能に工具の連結溝を連結する構成としてもよい。また、上記各構成において、図１〜７に示す第一本体１０、容置孔１１１、ばね３５、連結部材３６、孔３２、工具６０、連結溝６１に対応する。
【００１９】
このようなフックねじドライバーでは、第一本体の第一端に容置孔、ばね及び容置孔内に容置される連結部材が設けられ、工具連結部材は容置孔と工具連結孔を連通させる孔が設けられ、連結部材はばねに押さえられて一部が工具連結部材の工具連結孔に突入し、解放可能に工具の連結溝を連結することにより、容易に各種異なる形態のドライバーと連結させることができる。
【００２０】
また、本発明は、請求項８に記載されるように、前記工具連結部材は、前記第一本体の第一端に設けられ、かつそれぞれ第一ピン孔を有する両側壁が設けられ、前記第二本体の第一端は、第二ピン孔に合わせた間隔に突起耳が設けられ、二本のピンはそれぞれ前記第二本体の第二ピン孔を通して前記工具連結部材の第一ピン孔に至り、前記第一本体の第一端は、前記第二本体の第一端に枢接される構成としてもよい。また、上記各構成において、図１〜７に示すように第一ピン孔３３、第二ピン孔２１１、ピン２７に対応する。
【００２１】
このようなフックねじドライバーでは、工具連結部材が第一本体の第一端に設けられ、かつそれぞれ第一ピン孔を有する両側壁が設けられ、第二本体の第一端は、第二ピン孔に合わせた間隔に突起耳が設けられ、二本のピンはそれぞれ第二本体の第二ピン孔を通して工具連結部材の第一ピン孔に至り、第一本体の第一端は、前記第二本体の第一端に枢接されることにより、容易に各種異なる形態のドライバーと連結させることができる。
【００２２】
【発明の実施の形態】
以下に添付図面を参照して本発明のフックねじドライバーのある好適な実施の形態を詳細に説明するが、それらの構成は本発明の構造の絶対的な制限にならない。図１は、本発明の第１実施例に係るフックねじドライバーを示す斜視図である。図２は、本発明の第１実施例に係るフックねじドライバーの分解斜視図である。図３は、フックねじドライバーがばねの弾力を受けて開いている状態を示す側断面図である。図４は、フックねじドライバーが締付装置の制限を受けて閉められた状態を示す側断面図である。図５は、図４に示すフックねじドライバーの連結装置に駆動源が連結されている状態を示す側断面図である。図６は、図４に示すフックねじドライバーの連結装置にドライバーが連結されている状態を示す側断面図である。図７は、フックねじドライバーの連結装置に方向変換ドライバーが連結されている状態を示す斜視図である。
【００２３】
図１、２、３に示すように、本発明のフックねじドライバー１は、第一端及び第二端を有し、第一本体１０及び第二本体２０から構成されている。並びに締付装置４０の設置によって選択可能に第一本体１０と第二本体２０間の相対枢動関係を制限することができる。そのうち、第一本体１０には第一端及び第二端があり、第一端には連結部１１が設けられ、その連結部１１には容置孔１１１及び複数のねじ孔１１２が設けられている。第二端の底面には、凹溝１２が設けられ、その凹溝１２の周縁には定位置孔１２１及び複数個の長孔１３が設けられ、その凹溝１２は固定部材１４の嵌め付けに供され、固定部材１４は圧縮可能で高弾力性及び耐摩擦力のある材料から生成されている。第一本体１０の予定個所には孔１５が設けられ、第一本体１０の底面には嵌め孔１６が設けられている。
【００２４】
第二本体２０には、第一端及び第二端があり、第一端には枢接部２１が設けられ、その第二端の底面には凹溝２２が設けられている。凹溝２２の周縁には定位置孔２２１及び複数個の長孔２３が設けられ、その凹溝２２は固定部材２４の嵌め付けに供され、その固定部材２４は圧縮可能で高弾力性及び耐摩擦力のある材料から生成されている。第二本体２０の予定個所には階段孔２５が設けられている。その階段孔２５の第二本体２０に相対する底面には斜面のある内縮した矩形状に形成され、その階段孔２５の第二本体２０に相対する頂上面は長筋状に形成され、第二本体２０の底面には嵌め孔２６が設けられている。
【００２５】
連結装置３０の一端には横方向に連結孔３１が設けられ、連結装置３０の頂上面には連結孔３１に連通する位置決め孔３２が縦方向に設けられている。連結装置３０の両側には、それぞれピン孔３３が設けられ、連結装置３０の他端にはねじ孔１１２に対応する孔３４が設けられている。ばね３５及びスチールボール３６を第一本体１０の容置孔１１１内に設置し、更にボルト３７を連結装置３０の孔３４に通して第一本体１０のねじ孔１１２にねじ込み、連結装置３０を第一本体１０の連結部１１に固定する。
【００２６】
第一本体１０と第二本体２０間の連結は二本のピン２７によって第二本体２０の枢接部２１の枢接孔２１１に組み付けられている。枢接部２１は、ピン孔２１１に合わせた間隔に突起耳が設けられている。その二本のピン２７の小径端をそれぞれ連結装置３０両側のピン孔３３内に締め付け、それによって第一本体１０の第一端は第二本体２０の第一端に枢設される。並びに、ばね２８を第一本体１０の嵌め孔１６及び第二本体２０の嵌め孔２６に設置することができ、それによって第一本体１０と第二本体２０間は弾力性のある枢動関係が発生する。
【００２７】
締付装置４０は締付つまみ４１及び位置制限部材４２から構成され、それは第一本体１０と第二本体２０を開け位置と閉め位置の間に移動させる。そのうち、締付つまみ４１には第一端４１１及び第二端４１２があり、第一端４１１は円盤状に形成されて回すことに供され、その第二端４１２にはねじが設けられている。その第二端４１２のねじは第一本体１０の孔１５及び第二本体２０の階段孔２５に通され、かつ第一本体２０の底面には留め金４１４が設置され、その留め金４１４は締付つまみ４１の凹溝４１３内に嵌め込み、それによって締付つまみ４１は第一本体１０の孔１５から脱出しなくなる。
【００２８】
位置制限部材４２は概して円柱状に現れ、並びに第二本体２０の階段孔２５内に設置され、かつ階段孔２５とは相対した回転関係が起こらず、その位置制限部材４２の中央にはねじ孔４２１が設けられ、そのねじ孔４２１は締付つまみ４１の第二端４１２のねじとのねじ込みに供され、それは選択的に第一本体１０と第二本体２０間の相対枢動関係を制限することができる。
【００２９】
図３に示すように、フックねじ５０を締め付ける場合、フックねじ５０を第一本体１０の第二端と第二本体２０の第二端の間に置き、更に締付装置４０の締付つまみ４１の第一端４１１を時計針方向へ回す。その後、その締付装置４０の位置制限部材４２は直ちに締付つまみ４１の第二端４１２のやや上側へ移動し、更に第一本体１０と第二本体２０間の相対枢動関係が制限され、かつフックねじ５０の頭部は固定部材１４、２４の挟み付けを受けてフックねじドライバー１の第二端に位置制限される。同時に図４に示すように、そのフックねじ５０の頭部は定位置孔１２１、２２１に嵌め付けられ、締付装置４０のねじ付け位置制限はフックねじ５０に強力な上下挟み付けの力を受けるよう強く挟み固定する。固定部材１４、２４は高い変形量及び高い摩擦力のある材料から作られているので、フックねじ５０を木材にねじ込むときに起こる移動を有効に防ぐことができる。この場合、使用者はフックねじドライバー１の外縁を持ち、フックねじドライバー１を回すことによってフックねじ５０を締め付ける目的が達成される。
【００３０】
本発明のフックねじドライバー１の第一端の連結装置３０は各種異なる形態のドライバーと連結することができる。図５は本発明のフックねじドライバー１の別の操作形態であり、それはドライバー６０の一端をフックねじドライバー１の第一端の連結装置３０の連結孔３１内に設置し、かつその連結装置３０の定位置孔３２内のスチールボール３６はばね３５の押す力を受けてドライバー６０の凹陥部６１内に嵌め込み制限される。そのドライバー６０の他端は駆動源７０に連結され、その駆動源７０は空気動または電動等フックねじドライバーを駆動するものである。その駆動源７０はドライバー６０によってフックねじドライバー１を連動して回転させ、そのフックねじドライバー１は駆動源７０の駆動を受けて強力かつ快速にフックねじ５０を締め付ける効果を達成し、それによってフックねじ５０を締め付ける作業はより省力、快速かつ高効率に容易に行うことができる。
【００３１】
図６は本発明のフックねじドライバー１のもう一つの操作形態であり、この操作形態に於いて、ドライバー６０’の一端をフックねじドライバー１の第一端の連結装置３０の連結孔３１内に設置し、かつその連結装置３０の定位置孔３２内のスチールボール３６はばね３５の押す力を受けてドライバー６０’の凹陥部６１’内に嵌め込み制限される。そのドライバー６０’の他端には連結部６２’があり、その連結部６２’は各種違った形態のフックねじドライバーヘッド６３’との連結に供されるので、使用者はフックねじドライバー１の外縁を持ち、フックねじドライバー１を回すことによってフックねじ５０を締め付ける目的が達成される。
【００３２】
図７は、本発明のフックねじドライバー１の更に一つの操作形態であり、この操作形態に於いて、連結装置３０内に設置されているドライバー６０’には方向変換機構があり、それによって空転を変換する機能を有する。これにより、フックねじドライバー１のねじ締め付け作業はより省力、快速かつ高効率に容易に行うことができる。
【００３３】
図８は、本発明の第２実施例に係るフックねじドライバーを示す斜視図である。図９は、本発明の第２実施例に係るフックねじドライバーの分解斜視図である。図１０は、本発明の第２実施例に係るフックねじドライバーを示す側断面図である。図８、９は本発明の第２実施例であり、この実施例の多くは上記実施例と類似するので、同じ部材では同じ符号を付して、異なる関連部材のみを説明する。本実施例の主な変更は連結装置３０の形態を変えることであり、その第一本体１０の第一端は横方向に連結孔１７が設けられている。連結孔１７の底面には磁石１８が設けられてあり、その第一端の両側にはそれぞれピン孔１９が設けられている。二本のピン２７を第二本体２０の連結部２１の枢接孔２１１に取り付け、かつその二本のピン２７の小径端はそれぞれ第一本体１０の第一端両側のピン孔１９内に嵌め込み、それによって第一本体１０の第一端は第二本体２０の第一端に枢設される。
【００３４】
図１０に示すように第２実施例のフックねじドライバー１の第一端の連結孔１７は各種違った形態のドライバーの設置に供することができ、かつ磁石１８の吸着によってドライバー６０ｃを連結孔１７内に制限する。それによってドライバー６０ｃは取り外し可能にフックねじドライバー１の第一端に連結され、そのフックねじドライバー１の第二端には同じくフックねじ５０を挟む機能があるので、本第二実施例が達成される効果は上記実施例と同様である。
【００３５】
図１１は、本発明の第３実施例に係るフックねじドライバーを示す斜視図である。図１２は、本発明の第３実施例に係るフックねじドライバーの分解斜視図である。図１３は、本発明の第３実施例に係るフックねじドライバーを示す側断面図である。図１１、１２は本発明の第３実施例であり、本実施例のフックねじドライバー１は第一本体１０’と第二本体２０’から構成され、第一本体１０’には第一端及び第二端があり、その第一本体１０’の第一端には嵌付部１１’が設けられている。第一本体１０’の第二端の底面には嵌付部材１２’が設けられてあり、第一本体１０’の予定個所には縦方向に孔１３’が設けられている。
【００３６】
その第二本体２０’には第一端及び第二端があり、その第二本体２０’の第一端には連結部２１’が設けられ、その連結部２１’には横方向に連結孔２２’が設けられている。かつ連結孔２２’の他端は一部透かして第二本体２０’の頂上面まで透き通し、その第二本体２０’の第二端には縮小される凹溝２３’が設けられている。かつ凹溝２３’の予定箇所には定位置孔２４’が設けられ、第二本体２０’の予定箇所には縦方向にねじ孔２５’が設けられている。第一本体１０’の第一端の嵌付部１１’を第二本体２０’の連結孔２２’の他端に設置し、更にねじ付きの定位置部材３０’を第一本体１０’の孔１３’に取り付けて第二本体２０’のねじ孔２５’内にねじ付ける。この定位置部材３０’を回すことによって選択的に第一本体１０’と第二本体２０’間の相対的枢接関係が制限される。
【００３７】
図１３に示すように、フックねじ５０がフックねじドライバー１’の第二端に嵌め付けられた場合、そのフックねじ５０の頭部は第一本体１０’の嵌付部材１２’及び第二本体材２０’の凹溝２３’間に挟まれてフックねじドライバー１’の第二端に位置制限される。かつそのフックねじ５０の頚部は定位置孔２４’内に嵌め込まれ、フックねじ５０が木材にねじ込まれるときの移動が効果的に防げられ、使用者はフックねじドライバー１’の外縁を持ち、フックねじドライバー１’を操作回すことによってフックねじ５０をねじ付ける目的を達成する。かつそのフックねじドライバー１’の第一端の連結孔２２’は同じく違った形態のドライバーの設置に供されるので、第３実施例に達成される効果は上記実施例と同様である。
【００３８】
図１４は、本発明の第４実施例に係るフックねじドライバーの分解斜視図である。図１５は、本発明の第４実施例に係るフックねじドライバーを示す側断面図である。図１４、１５は本発明の第４実施例であり、この実施例の多くは上記第３実施例と類似するので、同じ部材では前と同じ符号を付して、異なる関連部材のみを説明する。本実施例の主な変更は第二本体２０’の第一端の連結部２６’の形態を変えることであり、その連結部２６’には連結柱２７’が設けられている。その連結柱２７’は異なる形態のドライバーの連結に使われ、かつ連結柱２７’の他端には嵌め溝２８’が設けられ、その嵌め溝２８’は第一本体１０’の嵌付部１１’の設置に供され、第４実施例に達成される効果は上記実施例と同様である。
【００３９】
上記説明により、本発明のフックねじドライバー１は従来の構造より優れた機能を有し、かつ本発明は産業的利用価値のある設計である。以下にその利点を更に説明する。本発明のフックねじドライバーの第二端は選択可能なようにフックねじを嵌め付け定位置することができ、そのフックねじドライバーの第一端は異なる形態のドライバーが取り外し可能な方式をもって連結することに供され、ドライバーがフックねじドライバーの第一端に連結された場合、フックねじドライバーのフックねじ締め付け作業がより省力、快速かつ高効率に容易に行うことができ、フックねじドライバーの連結部がフックねじドライバーの第一端に連結されると、そのフックねじドライバーを操作してねじを締め付けることができ、それは多機能性のある設計であり、かつ使用時の要求に応じて変化させることができる。従って、フックねじドライバーは機能性及び利便性を向上させることができる。
【００４０】
尚、上記本願発明のフックねじドライバーは、あくまでも最適実施例であり、本発明の実施範囲を制限するものではなく、数値の変更や部材の入替など、特許請求の範囲と類似の改良、変形、修飾などは本発明の範疇に含まれるものとする。
【００４１】
【発明の効果】
このようなフックねじドライバーにおいて、フックねじドライバーの第二端は選択可能なようにフックねじを嵌め付け定位置することができ、そのフックねじドライバーの第一端は異なる形態のドライバーが取り外し可能な方式をもって連結することに供され、ドライバーがフックねじドライバーの第一端に連結された場合、フックねじドライバーのフックねじ締め付け作業がより省力、快速かつ高効率に容易に行うことができ、フックねじドライバーの連結部がフックねじドライバーの第一端に連結されると、そのフックねじドライバーを操作してねじを締め付けることができ、それは多機能性のある設計であり、かつ使用時の要求に応じて変化させることができる。従って、フックねじドライバーは機能性及び利便性を向上させることができる。
【図面の簡単な説明】
【図１】本発明の第１実施例に係るフックねじドライバーを示す斜視図である。
【図２】本発明の第１実施例に係るフックねじドライバーの分解斜視図である。
【図３】フックねじドライバーがばねの弾力を受けて開いている状態を示す側断面図である。
【図４】フックねじドライバーが締付装置の制限を受けて閉められた状態を示す側断面図である。
【図５】図４に示すフックねじドライバーの連結装置に駆動源が連結されている状態を示す側断面図である。
【図６】図４に示すフックねじドライバーの連結装置にドライバーが連結されている状態を示す側断面図である。
【図７】フックねじドライバーの連結装置に方向変換ドライバーが連結されている状態を示す斜視図である。
【図８】本発明の第２実施例に係るフックねじドライバーを示す斜視図である。
【図９】本発明の第２実施例に係るフックねじドライバーの分解斜視図である。
【図１０】本発明の第２実施例に係るフックねじドライバーを示す側断面図である。
【図１１】本発明の第３実施例に係るフックねじドライバーを示す斜視図である。
【図１２】本発明の第３実施例に係るフックねじドライバーの分解斜視図である。
【図１３】本発明の第３実施例に係るフックねじドライバーを示す側断面図である。
【図１４】本発明の第４実施例に係るフックねじドライバーの分解斜視図である。
【図１５】本発明の第４実施例に係るフックねじドライバーを示す側断面図である。
【符号の簡単な説明】
１、１’　　　　　フックねじドライバー
１０、１０’　　　第一本体
１１、１１’　　　連結部
１２　　　　　　　凹溝
１２’　　　　　　嵌付部材
１３　　　　　　　長孔
１３’　　　　　　孔
１４　　　　　　　固定部材
１５　　　　　　　孔
１６　　　　　　　嵌め孔
１７　　　　　　　連結孔
１８　　　　　　　磁石
１９　　　　　　　ピン孔
２０、２０’　　　第二本体
２１　　　　　　　枢接部
２１’　　　　　　連結部
２２、４１３　　　凹溝
２２’　　　　　　連結孔
２３　　　　　　　長孔
２３’　　　　　　凹溝
２４　　　　　　　固定部材
２４’　　　　　　定位置孔
２５　　　　　　　階段孔
２５’　　　　　　ねじ孔
２６　　　　　　　嵌め孔
２６’　　　　　　連結部
２７　　　　　　　ピン
２７’　　　　　　連結柱
２８、３５　　　　ばね
２８’　　　　　　嵌め溝
３０　　　　　　　連結装置
３０’　　　　　　定位置部材
３１　　　　　　　連結孔
３２　　　　　　　位置決め孔
３３　　　　　　　ピン孔
３４　　　　　　　孔
３６　　　　　　　スチールボール
３７　　　　　　　ボルト
４０　　　　　　　締付装置
４１　　　　　　　締付つまみ
４２　　　　　　　位置制限部材
５０　　　　　　　フックねじ
６０、６０’、６０ｃ　　　ドライバー
６１、６１’　　　凹陥部
６２、６２’　　　連結部
６３、６３’　　　ドライバーヘッド
７０　　　　　　　駆動源
１１１　　　　　　容置孔
１１２、４２１　　ねじ孔
１２１、２２１　　定位置孔
４１１　　　　　　第一端
４１２　　　　　　第二端
４１４　　　　　　留め金
【図１】
2004050402.tif 000003
【図２】
2004050402.tif 000004
【図３】
2004050402.tif 000005
【図４】
2004050402.tif 000006
【図５】
2004050402.tif 000007
【図６】
2004050402.tif 000008
【図７】
2004050402.tif 000009
【図８】
2004050402.tif 000010
【図９】
2004050402.tif 000011
【図１０】
2004050402.tif 000012
【図１１】
2004050402.tif 000013
【図１２】
2004050402.tif 000014
【図１３】
2004050402.tif 000015
【図１４】
2004050402.tif 000016
【図１５】
2004050402.tif 000017